(57)【要約】【課題】売却希望対象について個々の売却希望者が必要とする内容に関しての査定結果を提供でき、しかも、購入希望者が売却依頼を過剰に受けることを回避できる売買支援方法を提供する。【解決手段】サーバ装置２４が、端末装置２３から受信した売却希望対象データのうち、端末装置２１から受信した購入希望対象データが示す条件を所定の基準以上満たす売却希望対象データを特定する。サーバ装置２４が、当該特定した売却希望対象データに対応する売却希望者１３に、購入希望者１１に対してアクセスするためのメールアドレスなどのアクセスデータを提供する。【選択図】　図１
2004118446.tif 000002
【特許請求の範囲】
【請求項１】
購入希望者と売却希望者との間での所定の対象の売買を支援するデータ処理装置が行う売買支援方法であって、
前記購入希望者が提示した購入希望対象の条件を示した購入希望対象データを受ける第１の工程と、
前記売却希望者が提示した売却希望対象に関する売却希望対象データを受ける第２の工程と、
前記第２の工程で受けた前記売却希望対象データのうち、前記第１の工程で受けた前記購入希望対象データが示す条件を所定の基準以上満たす前記売却希望対象データを特定する第３の工程と、
前記第３の工程で特定した前記売却希望対象データに対応する前記売却希望者に、前記売却希望対象データに対応する前記購入希望者に対してアクセスするためのアクセスデータを提供する第４の工程と
を有する売買支援方法。
【請求項２】
前記第３の工程は、
前記第１の工程で受けた前記購入希望対象データが示す複数の条件の項目を、前記第２の工程で受けた前記売却希望対象データが示す対応する項目が幾つ満たしたかを定量的に示す指標データを生成する第５の工程と、
前記第５の工程で生成された前記指標データが、所定の基準値以上の前記売却希望対象データを特定する第６の工程と
を有する
請求項１に記載の売買支援方法。
【請求項３】
前記第４の工程において、前記第３の工程で特定した前記売却希望対象データが前記購入希望対象データが示す条件を所定の基準以上満たしていることを、所定の組織が証明することを示す署名データを、前記アクセスデータと共に前記売却希望者に提供する
請求項１に記載の売買支援方法。
【請求項４】
前記第４の工程において、前記売却希望対象データを基に、前記購入希望対象データが示す条件以外の項目について前記売却希望対象を査定した結果を示すデータを前記購入希望者が解読可能で前記売却希望者が解読困難な形式で暗号化し、当該暗号化したデータを前記アクセスデータと共に前記売却希望者に提供する
請求項１に記載の売買支援方法。
【請求項５】
前記第２の工程において、前記売却希望者の要求に応じて、前記売却希望対象について、前記購入希望対象データが示す前記条件に対応する項目を入力する画面を前記売却希望者が使用する装置に提供し、前記画面を用いて入力されたデータによって前記売却希望対象データを受ける
請求項１に記載の売買支援方法。
【請求項６】
購入希望者と売却希望者との間での所定の対象の売買を支援する売買支援装置であって、
前記購入希望者が提示した購入希望対象の条件を示した購入希望対象データと、
前記売却希望者が提示した売却希望対象に関する売却希望対象データとを入力するインタフェースと、
前記インタフェースが入力した前記売却希望対象データのうち、前記インタフェースが入力した前記購入希望対象データが示す条件を所定の基準以上満たす前記売却希望対象データを特定し、当該特定した前記売却希望対象データに対応する前記売却希望者に、前記売却希望対象データに対応する前記購入希望者に対してアクセスするためのアクセスデータを前記インタフェースを介して送信する処理手段と
を有する売買支援装置。
【請求項７】
購入希望者と売却希望者との間での所定の対象の売買を支援するデータ処理装置によって実行されるプログラムであって、
前記購入希望者が提示した購入希望対象の条件を示した購入希望対象データを受ける第１の手順と、
前記売却希望者が提示した売却希望対象に関する売却希望対象データを受ける第２の手順と、
前記第２の手順で受けた前記売却希望対象データのうち、前記第１の手順で受けた前記購入希望対象データが示す条件を所定の基準以上満たす前記売却希望対象データを特定する第３の手順と、
前記第３の手順で特定した前記売却希望対象データに対応する前記売却希望者に、前記売却希望対象データに対応する前記購入希望者に対してアクセスするためのアクセスデータを提供する第４の手順と
を有するプログラム。
【発明の詳細な説明】
【０００１】
【発明の属する技術分野】
本発明は、インターネットなどのネットワークを介して行われる所定の対象の売買を支援する売買支援方法、その装置およびそのプログラムに関する。
【０００２】
【従来の技術】
現在、インターネット上のサーバ装置に、物やサービスなどの所定の対象の購入希望者や売却希望者が、購入や売却を希望する対象を掲載し、その掲載を見てお互いにその対象の売買契約を進めるシステムがある。
しかしながら、このようなシステムでは、売却希望者が売却しようとする対象の品質が保証されていないため、購入希望者が期待より低い品質の対象を購入し、不利益を被ることがあるという問題がある。
このような問題を解決するために、例えば、商品査定士が売却希望者の商品を上記システムの運用者が規定した基準で査定し、その結果を売却希望商品の内容と共にサーバ装置が提供するホームページに掲載するシステムがある。（例えば、特許文献１）
【０００３】
【特許文献１】
特開２００１−２２９３０４号公報
【０００４】
【発明が解決しようとする課題】
しかしながら、上述した従来のシステムでは、上記システムの運用者が規定した基準で売却希望商品の査定を行うため、必ずしも個々の購入希望者が必要とする内容についての査定結果が得られるわけではないという問題がある。
また、上述したシステムでは、ホームページ上に購入希望者のメールアドレスなどの個人情報が掲載されるため、自らの購入希望に合致しない多数の売却希望者から売却依頼などを受けたり、個人情報が不正に利用される可能性があるという問題がある。
【０００５】
本発明は上述した従来技術の問題点に鑑みてなされ、売却希望対象について個々の売却希望者が必要とする内容に関しての査定結果を提供でき、しかも、購入希望者が売却依頼を過剰に受けることを回避できる売買支援方法、その装置およびそのプログラムを提供することを目的とする。
【０００６】
【課題を解決するための手段】
上述した従来技術の問題点を解決し、上述した目的を達成するために、第１の発明の売買支援方法は、購入希望者と売却希望者との間での所定の対象の売買を支援するデータ処理装置が行う売買支援方法であって、前記購入希望者が提示した購入希望対象の条件を示した購入希望対象データを受ける第１の工程と、前記売却希望者が提示した売却希望対象に関する売却希望対象データを受ける第２の工程と、前記第２の工程で受けた前記売却希望対象データのうち、前記第１の工程で受けた前記購入希望対象データが示す条件を所定の基準以上満たす前記売却希望対象データを特定する第３の工程と、前記第３の工程で特定した前記売却希望対象データに対応する前記売却希望者に、前記売却希望対象データに対応する前記購入希望者に対してアクセスするためのアクセスデータを提供する第４の工程とを有する。
【０００７】
第１の発明の売買支援方法では、第１の工程において、データ処理装置が、購入希望者が提示した購入希望対象の条件を示した購入希望対象データを受ける。
また、第２の工程において、前記データ処理装置が、売却希望者が提示した売却希望対象に関する売却希望対象データを受ける。
次に、第３の工程において、前記データ処理装置が、前記第２の工程で受けた前記売却希望対象データのうち、前記第１の工程で受けた前記購入希望対象データが示す条件を所定の基準以上満たす前記売却希望対象データを特定する。
次に、第４の工程において、前記データ処理装置が、前記第３の工程で特定した前記売却希望対象データに対応する前記売却希望者に、前記売却希望対象データに対応する前記購入希望者に対してアクセスするためのアクセスデータを提供する。
【０００８】
また、第１の発明の売買支援方法は、好ましくは、前記第３の工程は、前記第１の工程で受けた前記購入希望対象データが示す複数の条件の項目を、前記第２の工程で受けた前記売却希望対象データが示す対応する項目が幾つ満たしたかを定量的に示す指標データを生成する第５の工程と、前記第５の工程で生成された前記指標データが、所定の基準値以上の前記売却希望対象データを特定する第６の工程とを有する。
【０００９】
第２の発明の売買支援装置は、購入希望者と売却希望者との間での所定の対象の売買を支援する売買支援装置であって、前記購入希望者が提示した購入希望対象の条件を示した購入希望対象データと、前記売却希望者が提示した売却希望対象に関する売却希望対象データとを入力するインタフェースと、前記インタフェースが入力した前記売却希望対象データのうち、前記インタフェースが入力した前記購入希望対象データが示す条件を所定の基準以上満たす前記売却希望対象データを特定し、当該特定した前記売却希望対象データに対応する前記売却希望者に、前記売却希望対象データに対応する前記購入希望者に対してアクセスするためのアクセスデータを前記インタフェースを介して送信する処理手段とを有する。
【００１０】
第２の発明の売買支援装置では、インタフェースが、購入希望者が提示した購入希望対象の条件を示した購入希望対象データと、売却希望者が提示した売却希望対象に関する売却希望対象データとを入力する。
次に、処理手段が、前記インタフェースが入力した前記売却希望対象データのうち、前記インタフェースが入力した前記購入希望対象データが示す条件を所定の基準以上満たす前記売却希望対象データを特定する。
次に、前記処理手段が、前記特定した前記売却希望対象データに対応する前記売却希望者に、前記売却希望対象データに対応する前記購入希望者に対してアクセスするためのアクセスデータを前記インタフェースを介して送信する。
【００１１】
第３の発明のプログラムは、購入希望者と売却希望者との間での所定の対象の売買を支援するデータ処理装置によって実行されるプログラムであって、前記購入希望者が提示した購入希望対象の条件を示した購入希望対象データを受ける第１の手順と、前記売却希望者が提示した売却希望対象に関する売却希望対象データを受ける第２の手順と、前記第２の手順で受けた前記売却希望対象データのうち、前記第１の手順で受けた前記購入希望対象データが示す条件を所定の基準以上満たす前記売却希望対象データを特定する第３の手順と、前記第３の手順で特定した前記売却希望対象データに対応する前記売却希望者に、前記売却希望対象データに対応する前記購入希望者に対してアクセスするためのアクセスデータを提供する第４の手順とを有する。
【００１２】
【発明の実施の形態】
以下、本発明の実施形態に係わる売買支援方法が適用される通信システムについて説明する。
図１は、本実施形態の通信システム１の全体構成図である。
図１に示すように、通信システム１では、例えば、インターネットなどのプロトコルを用いたネットワーク２０を介して、購入希望者１１が使用する端末装置２１、ＨＰ提供者１２が管理するサーバ装置２２、売却希望者１３が使用する端末装置２３、並びに売買支援者１４が管理するサーバ装置２４が接続されている。
ここで、サーバ装置２４が本発明の売買支援装置およびデータ処理装置に対応している。
【００１３】
通信システム１では、サーバ装置２２およびサーバ装置２４が、購入希望者１１と売却希望者１３との間での、車、バイク、カメラおよび洋服などの物やサービスなどの所定の対象の売買を支援する。
すなわち、サーバ装置２４が、購入希望者１１が提示した購入希望対象の条件を示した購入希望対象データを端末装置２１から受信し、売却希望者１３が提示した売却希望対象に関する売却希望対象データを端末装置２３から受信する。
そして、サーバ装置２４が、受信した売却希望対象データのうち、受信した購入希望対象データが示す条件を所定の基準以上満たす売却希望対象データを特定する。
そして、サーバ装置２４が、当該特定した売却希望対象データに対応する売却希望者１３に、売却希望対象データに対応する購入希望者１１に対してアクセスするためのメールアドレスなどのアクセスデータ（本発明のアクセスデータ）を提供する。
【００１４】
〔端末装置２１〕
端末装置２１は、購入希望者１１の操作に応じて、購入希望対象の条件を示した購入希望対象データをＨＰ提供者１２に送信する。
購入希望対象データは、例えば、図２に示すように、購入を希望する対象の対象名、その対象の仕様、その対象の傷などの状態、その対象の購入希望価格、売買保証機構となる売買支援者１４、並びに、その対象の写真などの購入希望対象の条件を示すデータを含んでいる。
また、端末装置２１は、端末装置２３への購入希望意思通知、サーバ装置２４への購入希望対象通知などを行う。
【００１５】
〔サーバ装置２２〕
サーバ装置２２は、ＨＰ提供者１２によって管理され、購入希望者１１の購入希望対象に関する情報を掲載したホームページを提供する。
【００１６】
〔端末装置２３〕
端末装置２３は、売却希望者１３の操作に応じて、サーバ装置２２にアクセスし、サーバ装置２２が提供するホームページの閲覧画面を表示する。
また、端末装置２３は、上記ホームページを見た売却希望者１３の操作に応じて、売却希望対象に関する種々の情報を示す売却希望対象データをサーバ装置２４に送信する。
売却希望対象データは、例えば、図３に示すように、売却を希望する対象の対象名、その対象の仕様、その対象の傷などの状態、その対象の売却希望価格、並びに、その対象の写真などの売却希望対象に関するデータを含んでいる。
また、端末装置２３は、所定の処理を経て、サーバ装置２４から受信した購入希望者１１へのアクセスデータを基に、端末装置２１に売却申し込みを送信する。
【００１７】
〔サーバ装置２４〕
サーバ装置２４は、売買支援者１４によって管理され、購入希望者１１と売却希望者１３との間での円滑な対象売買を支援する種々の処理を行う。
サーバ装置２４は、端末装置２３から受信した売却希望対象データのうち、ＨＰ提供者１２を介して端末装置２１から受信した購入希望対象データが示す条件を所定の基準以上満たす売却希望対象データを特定する。
そして、サーバ装置２４は、当該特定した売却希望対象データに対応する売却希望者に、上記売却希望対象データに対応する購入希望者にアクセスするためのアクセスデータを送信する。
【００１８】
図４は、サーバ装置２４が送信するアクセスデータ４０を説明するための図である。
図４に示すように、アクセスデータ４０は、例えば、購入希望者アクセスデータ４１、条件合致指標データ４２、付加査定データ４３および署名データ４４を含んでいる。
購入希望者アクセスデータ４１は、例えば、売却希望者１３が購入希望者１１と売買の交渉をする上で必要となる、例えば、購入希望者１１のメールアドレスなどの個人情報を示している。
条件合致指標データ４２は、例えば、購入希望対象データ内の各項目が示す条件を、売却希望対象データ内の各項目が幾つ満たしたか（一致度）を定量的に示している。
付加査定データ４３は、その対象について、購入希望対象データ内の各項目以外の査定項目であって、購入希望者１１による対象購入に参考となる項目の査定結果を示している。付加査定データ４３は、購入希望者１１が解読可能で、売却希望者１３が解読できない（困難な）形式で暗号化さている。
署名データ４４は、購入希望者アクセスデータ４１、条件合致指標データ４２および付加査定データ４３が、売買支援者１４によって生成されたことを証明するデータである。
【００１９】
図５は、サーバ装置２４の構成図である。
図５に示すように、サーバ装置２４は、例えば、インタフェース３１、操作部３２、ディスプレイ３３、メモリ３４およびＣＰＵ３５を有し、これらがバス３０を介して接続されている。
ここで、インタフェース３１が本発明のインターネットに対応し、ＣＰＵ３５が本発明の処理手段に対応している。
【００２０】
インタフェース３１は、ネットワーク２０を介して購入希望者１１、ＨＰ提供者１２および売却希望者１３との間でデータの授受を行う。
操作部３２は、売買支援者１４が査定結果などを入力するために用いられるキーボードやポインティングデバイスなどの操作手段である。
ディスプレイ３３は、ＣＰＵ３５の処理に応じた画面を表示する。
メモリ３４は、ＣＰＵ３５の処理を規定したプログラム（本発明のプログラム）、並びに、当該処理に用いられる種々のデータを記憶する。
ＣＰＵ３５は、メモリ３４に記憶されたプログラムを実行してサーバ装置２４の機能を実現するための処理を行う。
【００２１】
以下、サーバ装置２４の処理と関連付けて本実施形態の売買支援方法の手順について説明する。
図６〜図９は、本実施形態の売買支援方法の手順を説明するための図である。
ステップＳＴ１：
購入希望者１１が、端末装置２１を操作して、購入希望対象の条件を示した購入希望対象データをサーバ装置２２に送信する。
このとき、購入希望者１１がサーバ装置２２に登録されていない場合には、購入希望者１１の名前、住所および電話番号などの個人情報を、端末装置２１からサーバ装置２２に送信し、サーバ装置２２で登録する。
【００２２】
ステップＳＴ２：
サーバ装置２２が、ステップＳＴ１で受信した購入希望対象データを登録する。
ステップＳＴ３：
サーバ装置２２が、ステップＳＴ１で受信した購入希望対象データをサーバ装置２４に送信する。
ステップＳＴ４：
サーバ装置２４が、ステップＳＴ３で受信した購入希望対象データを、例えば、図５に示すメモリ３４に書き込む（登録する）。
【００２３】
ステップＳＴ５：
サーバ装置２２が、ステップＳＴ２で登録した購入希望対象データをホームページ上に掲載し、ネットワーク２０を介して閲覧可能にする。
この場合に、購入希望者１１のメールアドレスなどのアクセスデータは、ホームページ上には掲載しない。
サーバ装置２２が、当該掲載に伴い購入希望者１１に対して掲載料を徴収する処理を行ってもよい。
【００２４】
ステップＳＴ６：
端末装置２３が、売却希望者１３の操作に応じて、サーバ装置２２にアクセスして、ホームページ上で登録された購入希望対象データを閲覧する。
ステップＳＴ７：
ステップＳＴ６で閲覧を行った売却希望者１３が、購入希望者１１に自らの対象を売却することを希望する場合に、端末装置２３を操作して、売却希望対象データをサーバ装置２４に送信する。
この場合に、売却希望者１３が、サーバ装置２２が提供するホームページの画面上で掲載された購入希望対象を指定することで、自らの売却希望対象について、購入希望対象データが示す条件に対応する項目を入力する画面が端末装置２３に表示される。
そして、売却希望者１３が、当該画面上で、自らの売却希望対象について、購入希望対象データが示す条件に対応する項目を入力し、入力されたデータが売却希望対象データとしてサーバ装置２４に送信される。
【００２５】
ステップＳＴ８：
サーバ装置２４が、ステップＳＴ７で受信した売却希望対象データが示す各項目が、購入希望対象データ内の各項目が示す条件を幾つ満たしたか（一致度）を判断し、その判断結果を定量的に示す条件合致指標データ４２を生成する。
ステップＳＴ９：
サーバ装置２４が、ステップＳＴ８で条件合致指標データ４２が所定の基準値以上の値を示す場合にはステップＳＴ１０の処理に進み（すなわち、売却希望対象データを特定し）、そうでない場合には、売却応募の基準を満たしない旨を端末装置２３に通知する。
【００２６】
ステップＳＴ１０：
サーバ装置２４が、その対象について、購入希望対象データ内の各項目以外の査定項目であって、購入希望者１１による対象購入に参考となる項目の査定結果を示す付加査定データ４３を生成する。また、サーバ装置２４が、付加査定データ４３を、購入希望者１１が解読可能で、売却希望者１３が解読できない（困難な）形式で暗号化する。
そして、サーバ装置２４が、図５に示すように、購入希望者アクセスデータ４１、条件合致指標データ４２、付加査定データ４３および署名データ４４を含むアクセスデータ４０を生成し、これを端末装置２３に送信する。
【００２７】
ステップＳＴ１１：
端末装置２３が、ステップＳＴ１０で受信したアクセスデータ４０を基に、売却依頼を行うか否かを判断し、行うと判断した場合には、購入希望者１１に直接、対象売却の申し込みを行う。
このとき、端末装置２３は、図５に示す条件合致指標データ４２、付加査定データ４３および署名データ４４を端末装置２１に送信する。
ステップＳＴ１２：
端末装置２１が、購入希望者１１の操作に応じて、ステップＳＴ１１で受信した条件合致指標データ４２を画面表示する。
また、端末装置２１が、付加査定データ４３を復号して画面表示する。
また、端末装置２１が、署名データ４４を基に、アクセスデータ４０の正当性を検証する。
購入希望者１１は、上記画面表示を基に、売却希望者１３が売却希望する対象を購入するか否かを判断し、購入すると判断した場合には、端末装置２１を操作して、その売却希望者１３の端末装置２３に購入希望意思通知を送信する。
【００２８】
ステップＳＴ１３：
購入希望者１１と売却希望者１３との間で売買契約が成されると、購入希望者１１が、端末装置２１からサーバ装置２４に、その売却希望者１３を指定した購入希望対象通知を送信する。
ステップＳＴ１４：
サーバ装置２４が、ステップＳＴ１３で指定された売却希望者１３の購入希望対象の閲覧を停止する指示をサーバ装置２２に送信する。
ステップＳＴ１５：
サーバ装置２２が、ステップＳＴ１４で受信した指示に基づいて、指定された売却希望者１３の購入希望対象の閲覧を停止する。
【００２９】
ステップＳＴ１６：
サーバ装置２４が、ステップＳＴ１３で指定された売却希望者１３の端末装置２３に、売却希望対象の発送指示を送信する。
ステップＳＴ１７：
売却希望者１３が、ステップＳＴ１６の発送指示に応じて、売却希望対象を売買支援者１４に発送する。
【００３０】
ステップＳＴ１８：
売買支援者１４から依頼を受けた査定士が、ステップＳＴ１７で配送を受けた売却希望対象の現物を、例えば、ステップＳＴ１で受信した購入希望対象データおよびステップＳＴ７で受信した売却希望消費データを基に査定する。
【００３１】
ステップＳＴ１９：
サーバ装置２４が、ステップＳＴ１８の査定結果を入力し、当該査定結果が所定の条件（売買契約締結のための条件）を満たすことを示す場合には、ステップＳ２０の処理に進み、そうでない場合にはステップＳＴ２１の処理に進む。
【００３２】
ステップＳＴ２０：
サーバ装置２４が、売却希望者１３から受けた対象を、売買支援者１４から購入希望者１１に発送するための処理を行う。
ここで、購入希望者１１が、対象の受け取りと引き換えに、端末装置２１を操作して査定料などを売買支援者１４に支払う手続をサーバ装置２４に対して行ってもよい。
また、売買支援者１４が購入希望者１１から対象の購入費を徴収し、これを売却希望者１３に支払う処理をサーバ装置２４が行ってもよい。
ステップＳＴ２１：
サーバ装置２４が、購入希望者１１と売却希望者１３との間の売買契約を破棄するための処理を行う。
【００３３】
以上説明したように、通信システム１によれば、サーバ装置２４が、売却希望対象データが示す各項目が、購入希望対象データ内の各項目が示す条件を幾つ満たしたか（一致度）を判断し、その判断結果を定量的に示す条件合致指標データ４２を生成する。そのため、端末装置２１は、条件合致指標データ４２を基に、売却希望者の売却希望対象が、自らの希望条件をどの程度、満たしているかを判断でき、複数の売却希望対象の中から、自らの希望に合った売却希望対象を容易に選択できる。
また、通信システム１によれば、条件合致指標データ４２が所定の基準値を満たした売却希望者１３に対してのみ、購入希望者１１へのアクセスデータを提供するため、購入希望者が不要な売却依頼を過剰に受けることを回避できる。また、購入希望者１１の個人情報が不必要に流出することを抑制できる。
【００３４】
また、通信システム１によれば、所定の基準を満たした売却希望者１３に対して購入希望者１１のアクセスデータと共に条件合致指標データ４２を購入希望者１１に送信することで、売却希望者１３が条件合致指標データ４２を基に売却希望者１３に交渉を行うか否かを判断できる。
また、通信システム１では、売却希望者１３が購入希望者１１にアクセスして、売買の交渉を行う場合に、売却希望者１３から購入希望者１１に条件合致指標データ４２の他に、付加査定データ４３および署名データ４４も送信される。
そのため、購入希望者１１は、署名データ４４を基に、条件合致指標データ４２および付加査定データ４３が売買支援者１４によって作成された正当なものであることを確認できる。また、購入希望者１１は、付加査定データ４３を基に、売買支援者１４が行った付加的な査定結果を参考にできる。
付加査定データ４３は、購入希望者１１のみ解読可能で、売買支援者１４は解読できないため、売買支援者１４に秘匿にした情報についても購入希望者１１に提供できる。
また、通信システム１によれば、売却希望者１３から購入希望者１１への対象の発送を、売買支援者１４を介して行うことで、購入希望者１１から売却希望者１３への料金支払いを適切に管理し、トラブルを回避できる。
【００３５】
本発明は上述した実施形態には限定されない。
例えば、図８に示すステップＳＴ１７において、売却希望者１３が購入希望者１１に売却対象を直接、発送あるいは手渡ししてもよい。
図９に示すステップＳＴ２０で対象の発送を受けた購入希望者１１が、端末装置２１を操作して、受領した旨をサーバ装置２４に通知してもよい。
【００３６】
【発明の効果】
売却希望対象について個々の売却希望者が必要とする内容に関しての査定結果を提供でき、しかも、購入希望者が売却依頼を過剰に受けることを回避できる売買支援方法、その装置およびそのプログラムを提供することができる。
【図面の簡単な説明】
【図１】図１は、本発明の実施形態の通信システムの全体構成図である。
【図２】図２は、購入希望対象データを説明するための図である。
【図３】図３は、売却希望対象データを説明するための図である。
【図４】図４は、アクセスデータを説明するための図である。
【図５】図５は、図１に示す売買支援者のサーバ装置の構成図である。
【図６】図６は、本発明の実施形態の売買支援方法の手順を説明するための図である。
【図７】図７は、本発明の実施形態の売買支援方法の手順を説明するための図であり、図６に続く手順を示す図である。
【図８】図８は、本発明の実施形態の売買支援方法の手順を説明するための図であり、図７に続く手順を示す図である。
【図９】図９は、本発明の実施形態の売買支援方法の手順を説明するための図であり、図８に続く手順を示す図である。
【符号の説明】
１１…購入希望者、１２…ＨＰ提供者、１３…売却希望者、１４…売買支援者、２０…ネットワーク、２１…端末装置、２２…サーバ装置、２３…端末装置、２４…サーバ装置、３０…バス、３１…インタフェース、３２…操作部、３３…ディスプレイ、３４…メモリ、３５…ＣＰＵ、４０…アクセスデータ、４１…購入希望者アクセスデータ、４２…条件合致指標データ、４３…付加査定データ、４４…署名データ
【図１】
2004118446.tif 000003
【図２】
2004118446.tif 000004
【図３】
2004118446.tif 000005
【図４】
2004118446.tif 000006
【図５】
2004118446.tif 000007
【図６】
2004118446.tif 000008
【図７】
2004118446.tif 000009
【図８】
2004118446.tif 000010
【図９】
2004118446.tif 000011